(57)【要約】【課題】  支持体に対する外枠鉤やガラス扉鉤等の各種部材の組み付けの容易化を実現しつつ、さらに完成度の高い遊技機における施錠装置を提供する。【解決手段】施錠装置２０の外郭を形成する支持体２１には、第１作動体３１が上下動可能に設けられている。その第１作動体３１の上下両端部にはそれぞれ外枠鉤４１及びガラス扉鉤５１が回動可能に設けられている。支持体２１の側板２３において、外枠鉤４１を支持する第１支持面２３ａと、ガラス扉鉤５１を支持する第２支持面２３ｂとは同一平面上に位置している。【選択図】      図１
2006130070.tif 000002
【特許請求の範囲】
【請求項１】
外枠と、外枠の前面に開閉可能に支持される前枠とを備える遊技機の前記前枠に取着され、前枠を外枠に施錠するとともにガラス扉を前枠に施錠するために設けられる遊技機における施錠装置であって、
前記前枠に固定される支持体と、前記前枠を前記外枠に施錠すべく当該外枠に係合する外枠鉤と、前記ガラス扉を前記前枠に施錠すべく当該ガラス扉に係合するガラス扉鉤と、前記外枠鉤及び前記ガラス扉鉤の解錠操作を行う錠部材と、前記錠部材による前記外枠の解錠操作を前記外枠鉤に伝達するとともに、前記錠部材による前記ガラス扉の解錠操作を前記ガラス扉鉤に伝達する第１作動体とを備えてなり、
前記支持体は、前記外枠鉤を支持する第１支持面と、前記ガラス扉鉤を支持する第２支持面とが同一平面上に位置するように設けられていることを特徴とする遊技機における施錠装置。
【請求項２】
前記第１支持面及び前記第２支持面を含む平面と前記第１支持面及び前記第２支持面に対向する前記第１作動体とは、前記支持体の長手方向において均一の間隙を有することを特徴とする請求項１に記載の遊技機における施錠装置。
【請求項３】
前記外枠鉤は、前記第１支持面に対向する平面状の基端部と、前記外枠に係合する先端部と、前記基端部に比べて前記第１支持面から離間するように前記先端部を前記基端部に連結する段差部とを備えることを特徴とする請求項１又は請求項２に記載の遊技機における施錠装置。
【請求項４】
前記錠部材は、前記外枠鉤及び前記ガラス扉鉤の解錠操作に伴い回動する回動子を備え、当該回動子が掛合する第１作動体の掛合部位と前記第１支持面及び前記第２支持面を含む平面との間隙は、当該平面と前記第１支持面及び前記第２支持面に対向する前記第１作動体との間隙と同一であることを特徴とする請求項１〜請求項３のいずれか一項に記載の遊技機における施錠装置。
【請求項５】
前記掛合部位は、前記回動子の歯体に噛合する噛合体を備え、当該噛合体は、前記掛合部位において、前記回動子側へ膨出するように形成されていることを特徴とする請求項４に記載の遊技機における施錠装置。
【請求項６】
請求項１〜請求項５のいずれか一項に記載の遊技機における施錠装置であって、前記前枠の前面に開閉可能に支持される上皿扉を備えてなり、当該上皿扉を前記前枠に施錠すべく前記上皿扉に係合する上皿扉鉤を備えた第２作動体を有し、当該第２作動体は、前記第１支持面及び前記第２支持面と同一平面上に位置する第３支持面の裏面に支持されていることを特徴とする遊技機における施錠装置。
【発明の詳細な説明】
【技術分野】
【０００１】
本発明は、パチンコ遊技機等の遊技機において、遊技盤が設けられた前枠を外枠に施錠するとともに、ガラス扉を前枠に施錠するための遊技機における施錠装置に関するものである。
【背景技術】
【０００２】
従来より、遊技機の一種であるパチンコ遊技機は、その外郭が縦長四角枠状をなす外枠と、外枠に開閉可能に支持される前枠と、当該前枠の内側に保持される遊技盤とから構成されている。前枠の前面には、四角板状をなすガラス扉が開閉可能に支持され、パチンコ遊技機前面から遊技盤が視認可能となっている。前枠の一側には施錠装置が装着されており、当該施錠装置により前枠が外枠に対して施錠されるようになっている（例えば、特許文献１参照。）。
【０００３】
この種の施錠装置は、前枠に固定される固定基枠によって外郭が形成されている。固定基枠は、取付片とスライド保持片とより断面Ｌ字状に形成されている。固定基枠の取付片には、鍵によって回転操作可能なシリンダ錠が設けられている。このシリンダ錠には略Ｖ字状をなす解錠レバー端が錠軸により回転可能に取り付けられている。当該解錠レバー端は、シリンダ錠に差し込まれた鍵の回転方向と同一方向に回転するようになっている。
【０００４】
また、前記取付片の上下両端部には、それぞれ係合爪が前記スライド保持片と相対向するように設けられている。係合爪は、支持板を介して取付片に固定されており、前枠を外枠に施錠するべく当該外枠に係合するようになっている。そして、当該係合爪は、前記シリンダ錠の解錠操作により所定方向にスライドする可動錠板の動きに伴って回動するようになっている。
【特許文献１】特許第３４３７５４３号
【発明の開示】
【発明が解決しようとする課題】
【０００５】
上記従来の施錠装置において、係合爪は断面Ｌ字状の固定基枠における取付片とスライド保持片とによって囲まれる内域に配設されるように構成されている。取付片に対して支持板を介して取り付けられる係合爪は、その支持構造から必然的にスライド保持片から所定の間隙をおいて存在することになる。このように、固定基枠の内域に係合爪を配設するには、係合爪を取付片に組み付ける作業と可動錠板をスライド保持片に組み付ける作業とが必要となる。それら作業における組み付け方向は互いに異なるものであり、しかも、固定基枠に対して係合爪を２箇所に設けるとなると、それらの組み付け作業に高度な精度が要求されることになる。
【０００６】
この発明は、こうした従来の実情に鑑みてなされたものであり、その目的は、支持体に対する外枠鉤やガラス扉鉤等の各種部材の組み付けの容易化を実現しつつ、さらに完成度の高い遊技機における施錠装置を提供することにある。
【課題を解決するための手段】
【０００７】
上記の目的を達成するために、請求項１に記載の発明の遊技機における施錠装置は、外枠と、外枠の前面に開閉可能に支持される前枠とを備える遊技機の前記前枠に取着され、前枠を外枠に施錠するとともにガラス扉を前枠に施錠するために設けられる遊技機における施錠装置であって、前記前枠に固定される支持体と、前記前枠を前記外枠に施錠すべく当該外枠に係合する外枠鉤と、前記ガラス扉を前記前枠に施錠すべく当該ガラス扉に係合するガラス扉鉤と、前記外枠鉤及び前記ガラス扉鉤の解錠操作を行う錠部材と、前記錠部材による前記外枠の解錠操作を前記外枠鉤に伝達するとともに、前記錠部材による前記ガラス扉の解錠操作を前記ガラス扉鉤に伝達する第１作動体とを備えてなり、前記支持体は、前記外枠鉤を支持する第１支持面と、前記ガラス扉鉤を支持する第２支持面とが同一平面上に位置するように設けられていることを要旨とする。
【０００８】
請求項１の構成によれば、支持体の少なくとも第１支持面及び第２支持面は、同一平面上に存在することから、外枠鉤、ガラス扉鉤、第１作動体等の各種部材がそれぞれ支持体に対して同一方向から組み付けられるようになる。従って、各種部材の組み付け作業の単一化が図られ、組み付けの作業性が向上する。また、施錠装置の構成としても、第１支持面及び第２支持面が同一平面上に存在するように支持体を形成するのは、それらが互いに異なる平面上に存在するように構成するのに比べて単純化されているため、支持体の製造工数の低減の点、コスト低減の点、高度な加工精度の要求回避の点等でメリットがある。なお、本発明でいう同一平面とは、上で述べた有利な点を得るための第１支持面及び第２支持面における構成として規定するものにすぎない。そのため、多少の曲げや加工性の問題等によって、厳密にみれば同一平面とは言えないようなものでも、上で述べた有利な点が得られるのであれば、それは、本明細書では同一平面であると解釈することにする。
【０００９】
請求項２に記載の発明の遊技機における施錠装置は、請求項１に記載の発明において、前記第１支持面及び前記第２支持面を含む平面と前記第１支持面及び前記第２支持面に対向する前記第１作動体とは、前記支持体の長手方向において均一の間隙を有することを要旨とする。
【００１０】
請求項２の構成によれば、第１作動体は、少なくとも支持体の第１支持面及び第２支持面と対向する部位は、平面状に形成されることになる。従って、第１作動体自体の構成の単純化に起因するメリットが得られる他、支持体への組み付け作業性の点でも構成の単純化に伴うメリットは大きい。例えば、第１支持面及び第２支持面を含む平面と均一の間隙を有することなく、段差を設けるように屈曲した構成と比べた場合、第１作動体の構成の単純化に伴って製造工数の低減の点、コスト低減の点、高度な加工精度の要求回避の点等でメリットが得られるのは明らかである。なお、本発明でいう均一の間隙とは、上で述べた有利な点を得るための第１支持面及び第２支持面と第１作動体との構成を規定するものにすぎない。そのため、第１作動体における多少の曲げや加工性の問題等によって、厳密にみれば均一の間隙とは言えないものでも、上で述べた有利な点が得られるのであれば、それは、本明細書では均一の間隙であると解釈することにする。
【００１１】
請求項３に記載の発明の遊技機における施錠装置は、請求項１又は請求項２に記載の発明において、前記外枠鉤は、前記第１支持面に対向する平面状の基端部と、前記外枠に係合する先端部と、前記基端部に比べて前記第１支持面から離間するように前記先端部を前記基端部に連結する段差部とを備えることを要旨とする。
【００１２】
通常、前枠を外枠に施錠すべく設けられる外枠鉤は、背景技術欄で提示した特許文献１に示す技術のように、外枠に係合する外枠鉤の先端部が支持体から離間した位置に配設されている。請求項３の構成によれば、外枠鉤は、その先端部が段差部の構成によって支持体の第１支持面から離間した位置に配設されるのであるが、これは、施錠装置の汎用性を高めるためである。つまり、外枠鉤は、基端部と先端部とが段差部によって連結されているため、通常の外枠鉤の先端部と同位置に外枠鉤の先端部を配設することが可能となる。従って、本発明の施錠装置を前枠に固定するにあたって、これまでの施錠装置に関連する部材をそのまま活用しつつ、施錠装置の置き換えが可能になる。
【００１３】
請求項４に記載の発明の遊技機における施錠装置は、請求項１〜請求項３のいずれか一項に記載の発明において、前記錠部材は、前記外枠鉤及び前記ガラス扉鉤の解錠操作に伴い回動する回動子を備え、当該回動子が掛合する第１作動体の掛合部位と前記第１支持面及び前記第２支持面を含む平面との間隙は、当該平面と前記第１支持面及び前記第２支持面に対向する前記第１作動体との間隙と同一であることを要旨とする。
【００１４】
通常、限られたスペースのなかに回動子を収容しなければならないという要請に応えるためには、できるかぎり、第１作動体は、回動子の回動中心から離間させることが重要である。請求項４の構成によれば、第１作動体の回動子が掛合する掛合部位のみを特別に回動子の回動中心から離間させるという構成を採用する必要がない。支持体にせよ、第１作動体にせよ、ともに基本的には平板状に構成できることによるメリットをさらに享受できるのである。
【００１５】
請求項５に記載の発明の遊技機における施錠装置は、請求項４に記載の発明において、前記掛合部位は、前記回動子の歯体に噛合する噛合体を備え、当該噛合体は、前記掛合部位において、前記回動子側へ膨出するように形成されていることを要旨とする。
【００１６】
請求項５の構成によれば、第１作動体の掛合部位を基準として、噛合体は、回動子側へ膨出していることから、回動子の歯体と噛合体との噛合状態が確保されやすくなる。支持体及び第１作動体におけるメリットについては上で述べたとおりだが、噛合体を回動子側へ膨出しておくことで、それらのメリットを享受しつつ、回動子の歯体と噛合体との噛合状態の不安定性という新たな問題点の発生が抑制される。
【００１７】
請求項６に記載の発明の遊技機における施錠装置は、請求項１〜請求項５のいずれか一項に記載の発明において、前記前枠の前面に開閉可能に支持される上皿扉を備えてなり、当該上皿扉を前記前枠に施錠すべく前記上皿扉に係合する上皿扉鉤を備えた第２作動体を有し、当該第２作動体は、前記第１支持面及び前記第２支持面と同一平面上に位置する第３支持面の裏面に支持されていることを要旨とする。
【００１８】
請求項６の構成によれば、支持体全体が、多少の凹凸や開口部を設ける必要があるものの、基本形状として、第１〜第３支持面に基づいて平面状に構成される。しかも、施錠装置の主構成である第２作動体も平面状に設けられた支持体に組み付けられるため、組み付け作業の容易化に貢献するものである。
【発明の効果】
【００１９】
本発明の遊技機における施錠装置によれば、支持体に対する外枠鉤やガラス扉鉤等の各種部材の組み付けの容易化を実現しつつ、さらに完成度を高めることができる。
【発明を実施するための最良の形態】
【００２０】
以下、本発明の施錠装置を図面に基づいて説明する。
図７及び図８に示すように遊技機の一種であるパチンコ遊技機１１は、その外郭が縦長四角枠状をなす外枠１２により形成され、この外枠１２の左側部には、四角枠状をなす前枠１３が開閉可能に支持されている。また、図７で破線に示すように、外枠１２の右側部の内面には上下一対の係合部としての外枠係合金具Ｋ１が設けられ、それら外枠係合金具Ｋ１は前枠１３を外枠１２に施錠するために外枠１２に設けられている。前枠１３には図示しない打球発射装置、球皿等のパチンコゲームを展開可能とする遊技構成部材が搭載されるとともに、前枠１３の内側には遊技盤１４が保持されている（図８参照）。
【００２１】
図８に示すように、前枠１３の左側部にはガラス扉１５が開閉可能に支持され、パチンコ遊技機１１前面から遊技盤１４が視認可能となっている。ガラス扉１５の下方における前枠１３の左側部には、上皿扉１６が開閉可能に支持され、この上皿扉１６にはパチンコ球を貯留するための上皿が備えられている。図７に示すように、前枠１３の右側部の背面には縦長四角状の施錠装置２０が装着され、この施錠装置２０により前枠１３が外枠１２に施錠されるとともに、ガラス扉１５及び上皿扉１６が前枠１３に施錠されるようになっている。以下において上下左右は、パチンコ遊技機１１を前方から見た場合の上下左右を示すものとする。
【００２２】
図１に示すように、施錠装置２０は、鋼板等から細長四角板状に形成された支持体２１によって外郭が形成されている。この支持体２１は縦長四角板状の固定板２２と、固定板２２の左側から背面方向に折り曲げ形成された側板２３とを備えている。そして、この施錠装置２０は固定板２２の前面が前枠１３の背面の一側に当接され、ビス等の固定部材によって前枠１３に組み付けされている（図７参照）。
【００２３】
固定板２２の上部及び下部には、それぞれ一対の第１掛止フック２２ａ〜２２ｄが、固定板２２を切り起こし、さらに下方へ延びるように折り曲げて形成されている。固定板２２の上端部及び長手方向（上下方向）中央部よりやや下方には、それぞれ第１支持突部２４が前方に向かって折り曲げ形成されている。また、固定板２２の下部には、長手方向に沿って一対の第２支持突部２５が前方に向かって折り曲げ形成されている。
【００２４】
固定板２２の長手方向中央部よりやや上部には錠部材としてのシリンダ錠Ｌが装着され、そのシリンダ錠Ｌには円盤状をなす回動子としてのピニオン２６が軸着されている。そして、シリンダ錠Ｌの先端側から鍵２７を挿入して解錠操作を行うべく鍵２７を回動させると、その鍵２７の回動方向と同一方向にピニオン２６が回動するようになっている。
【００２５】
側板２３の内面は、後述する外枠鉤４１を側方（左方）から支持する第１支持面２３ａ、及び同じく後述するガラス扉鉤５１を側方（左方）から支持する第２支持面２３ｂを有している。なお、前記側板２３の内面とは、側板２３において、シリンダ錠Ｌ側に位置する側面（右側面）である。側板２３は、これら第１支持面２３ａ及び第２支持面２３ｂを、長手方向に沿って同一平面上に有している。（図３（ａ）参照）。
【００２６】
さらに、これら第１支持面２３ａ及び第２支持面２３ｂを含む側板２３の内面は、全面に亘って連続する平面となっている。なお、当該平面とは、凹凸形状がほとんど存在せず、客観的に平面と認識できる程度のものを意味する。側板２３は、その長手方向及び短手方向（前後方向）の全方向に亘り、左右方向に突き出る凹凸形状が極力存在しない平板状に形成されている。
【００２７】
側板２３の上部及び下部には略四角板状をなす第３支持突部２８が形成されている。これら第３支持突部２８は、側板２３の後端縁をそれぞれ当該側板２３と面一となるように背面方向へ突き出すことにより設けられている。各第３支持突部２８の先端部は、段差部２９を介して右方へ折り曲げられている。すなわち、第３支持突部２８の先端は、側板２３の内面（第１支持面２３ａ）に直交して右方へ延びる段差部２９により、当該内面に比べて右側方に位置している。当該段差部２９は、後述する外枠鉤４１を不正に回動させる行為の防止に役立っている。
【００２８】
図４に示すように、前記段差部２９の上側縁（側部）には、左右方向に水平に延びる第１支持辺２９ａが形成されている。さらに、前記段差部２９よりも先端側に位置する第３支持突部２８の上側縁（側部）には、前後方向に水平に延びる第２支持辺２８ａが形成されている。
【００２９】
以下に、本実施形態の施錠装置の施錠機構のうち、外枠１２に対する前枠１３の施錠機構について説明する。図１及び図２（ａ）に示すように、上記構成の支持体２１において側板２３の内面には、細長板状をなす第１作動体３１が上下動可能に支持されている。また、この第１作動体３１の上下両端部には、それぞれ細長板状をなす外枠鉤４１が連結されている。
【００３０】
図１に示すように、第１作動体３１は上下方向に延びる長四角板状に形成されている。第１作動体３１の上部及び下部にはそれぞれ一対のスライド孔３１ａ〜３１ｄが透設されている。各スライド孔３１ａ〜３１ｄはそれぞれ第１作動体３１の長手方向に細長に延びるように形成されており、同一の長さを有している。スライド孔３１ｂ，３１ｄのやや前方には、それぞれ第１作動体３１の前端縁から前方に延びる押圧段部３２が設けられている。また、スライド孔３１ａ，３１ｃのやや後方には、それぞれ第１作動体３１の後端縁から後方に延びる係止段部３３が設けられている。
【００３１】
第１作動体３１の長手方向中央部には、複数の四角孔３５からなる噛合体としてのラック３６を備える掛合部位３８が設けられている。ラック３６は、複数の四角孔３５を前記第１作動体３１の長手方向に沿って格子状に穿設することにより形成されている。このラック３６は、前記ピニオン２６に向けて膨出するように形成されている。すなわち、ラック３６は、その歯面３６ａが第１作動体３１の右側面から僅かに右方に膨出するように形成されている（図５参照）。
【００３２】
図３（ａ）に示すように、第１支持面２３ａ及び第２支持面２３ｂを含む側板２３の内面と、両支持面２３ａ，２３ｂに対向する第１作動体３１の対向面３９ａとは、互いに平行に配設されている。すなわち、第１支持面２３ａ及び第２支持面２３ｂを含む側板２３の内面と、これに対向する第１作動体３１の対向面３９ａとの間の間隙Ｓ１は、その長手方向において均一な幅を有している。なお、当該幅とは、前記間隙Ｓ１の左右方向における水平幅を意味する。
【００３３】
また、第１作動体３１の掛合部位３８と、第１支持面２３ａ及び第２支持面２３ｂを含む側板２３の内面とは、互いに平行に配設されている。すなわち、第１作動体３１の掛合部位３８と、第１支持面２３ａ及び第２支持面２３ｂを含む側板２３の内面との間の間隙Ｓ２は、その長手方向において均一な幅を有している。間隙Ｓ２は、前記間隙Ｓ１と同一の幅を有しており（Ｓ１＝Ｓ２）、当該間隙Ｓ１と連続している。
【００３４】
上記構成の第１作動体３１はリベットＲが前記４箇所のスライド孔３１ａ〜３１ｄを貫通して側板２３にカシメ着けられることにより側板２３の内面に組み付けられている。また、リベットＲは、第１作動体３１を側板２３の内面に組み付けるとき、それぞれ後述する外枠鉤４１及びガラス扉鉤５１の基端部を貫通して側板２３にカシメ着けられるようになっている。このため、第１作動体３１の上下両端部にはそれぞれ外枠鉤４１及びガラス扉鉤５１が、両部材２３，３１間に挟み込まれた状態でリベットＲを軸に回動可能となるように連結されている。そして、第１作動体３１は、前記スライド孔３１ａ〜３１ｄの長手方向への長さ分だけ支持体２１に沿って上下方向にスライド可能に構成されている。
【００３５】
また、図５に示すように、第１作動体３１が側板２３の内面に支持された状態において、前記ピニオン２６の歯体の先端は四角孔３５内に入り込み、ラック３６とピニオン２６の歯体とが噛合するようになっている。ここで、四角孔３５の幅（前後方向における幅）は、ピニオン２６の歯の厚みよりも大きく形成されている。すなわち、四角孔３５の形成に伴って設けられるラック３６の幅も、ピニオン２６の歯体の厚みよりも僅かに大きく形成されている。
【００３６】
図１に示すように、前記一対の外枠鉤４１は、前後方向に延びる長四角板状に形成されており、第１支持面２３ａに対向する平板状の基端部と、外枠１２の外枠係合金具Ｋ１に係合する先端部と、段差部４３とより、平面視略Ｚ字状に形成されている。段差部４３は第１支持面２３ａから右方へ離間するように延びており、この段差部４３を介して前記先端部と前記基端部とが連結されている。当該外枠鉤４１の先端部は、基端部に比べて右側方に位置している。外枠鉤４１の段差部４３は、前記第３支持突部２８の段差部２９の側方（前方）に平行に配置されている。
【００３７】
外枠鉤４１は、その基端部がリベットＲにより側板２３の第１支持面２３ａに軸支されている。これにより、各外枠鉤４１は、それぞれ一対の第３支持突部２８の内面に沿って延びるように配置されている。そして、各外枠鉤４１は、前記リベットＲを回動中心として水平状態からその先端部が下がる方向に回動可能に支持されている（図６参照）。
【００３８】
各外枠鉤４１の基端には第２掛止フック４２が右方向に折り曲げ形成されている。図２（ｂ）に示すように、各第２掛止フック４２には、それぞれ第１コイルばねＣ１の一端（上端）が掛止されている。一方、該第１コイルばねＣ１の他端（下端）は、それぞれ固定板２２の各第１掛止フック２２ｂ，２２ｄに掛止されている。即ち、各外枠鉤４１の先端部は、第１コイルばねＣ１により外枠係合金具Ｋ１に近づく方向（上方）に付勢されている（図６参照）。
【００３９】
図６の二点鎖線で示すように、各第２掛止フック４２は、第１作動体３１が上方へスライド移動したとき、その押圧段部３２により下方から上方に向かって押圧され、その押圧により外枠鉤４１の先端部が前記リベットＲを軸として下方へ回動するようになっている。
【００４０】
図１及び図２（ａ）に示すように、各外枠鉤４１の上側縁略中央部には、上側に開口（上方に向かって開口）する側面略Ｕ字状に形成された係合凹所４５が設けられている。図４に示すように、この係合凹所４５は、外枠鉤４１の先端側に位置し上下方向に延びる係止辺４５ａと、外枠鉤４１の基端側に位置し前側上方から後側下方へと僅かに傾斜して延びる傾斜辺４５ｂと、それら係止辺４５ａ及び傾斜辺４５ｂ間に位置する内奥辺とを備えている。前記内奥辺は左右方向に水平に延びる第１内奥辺４６ａ（段差部４３の上側縁）と、前後方向に水平に延びる第２内奥辺４６ｂとを備えている。
【００４１】
係合凹所４５の第１内奥辺４６ａは、第３支持突部２８の第１支持辺２９ａに接する形状とされ、当該第１支持辺２９ａと同一高さに配置されている。係合凹所４５の第２内奥辺４６ｂは、第３支持突部２８の第２支持辺２８ａに接する形状とされ、当該第２支持辺２８ａと同一高さ以上に配置されている。また、係合凹所４５の係止辺４５ａは、第３支持突部２８の先端面と同一位置に配置されている。
【００４２】
図６に示すように、係合凹所４５は、前記係止辺４５ａが前記外枠係合金具Ｋ１の一端部（下端部）片面に係合するように構成されており、この状態において前枠１３の開放が規制されるようになっている。なお、同図に実線で示すように、外枠鉤４１の係合凹所４５と外枠係合金具Ｋ１とが係合しているときの外枠鉤４１の傾動位置を当該外枠鉤４１の施錠位置と称す。一方、二点鎖線で示すように、前記係合凹所４５の係止辺４５ａの上端が外枠係合金具Ｋ１の下端よりも下方に変位し、係合凹所４５と外枠係合金具Ｋ１との係合が解除されて前枠１３の開放が許容されるときの外枠鉤４１の傾動位置を当該外枠鉤４１の解錠位置と称す。
【００４３】
次に、前枠１３に対するガラス扉１５の施錠機構、及び前枠１３に対する上皿扉１６の施錠機構について説明する。
図１に示すように、側板２３の各第２支持面２３ｂには、ガラス扉鉤５１の基端部がリベットＲによりカシメ着けられている。このガラス扉鉤５１の中央部下端には、第３掛止フック５２が右方向に折り曲げ形成されている。図２（ｂ）に示すように、各第３掛止フック５２には、それぞれ第２コイルばねＣ２の一端（上端）が掛止されている。一方、該第２コイルばねＣ２の他端（下端）は、それぞれ固定板２２の各第１掛止フック２２ａ，２２ｃに掛止されている。
【００４４】
図２（ａ）に示すように、ガラス扉鉤５１の先端部は、固定板２２の第１支持突部２４の側方に配設されている。ガラス扉鉤５１の先端部の下側縁には、下側に開口（下方に向かって開口）する係合凹部５４が設けられている。この係合凹部５４に位置するガラス扉鉤５１の下側縁は、前記第１支持突部２４の下側縁と同一高さに配置されている。このため、第１支持突部２４は、ガラス扉鉤５１を不正に回動させる行為の防止に役立っている。
【００４５】
各ガラス扉鉤５１の先端部は、前記第２コイルばねＣ２によりガラス扉１５の係合部Ｋ２に近づく方向（下方）に付勢されている。ガラス扉鉤５１の係合凹部５４がガラス扉１５の係合部Ｋ２にそれぞれ係合することにより、ガラス扉１５が前枠１３に施錠されるようになっている。そして、当該ガラス扉鉤５１は、第１作動体３１が下方へスライド移動したとき、その係止段部３３により上方から下方に向かって押圧され、その押圧により先端部が前記リベットＲを軸として上方へ回動した結果、ガラス扉１５が前枠１３から解錠されるようになっている。
【００４６】
また、図１に示すように、側板２３の外面には、第２作動体としての上皿扉作動体６１が側板２３の長手方向に沿ってスライド可能とされるべくリベットＲによりかしめ着けられている。なお、前記側板２３の外面とは、前記内面の裏側に位置する側板２３の側面を意味する。上皿扉作動体６１は、側板２３の内面の下部において、第１支持面２３ａ及び第２支持面２３ｂと同一平面上に位置する第３支持面２３ｃの裏面に組み付けられる。
【００４７】
図３（ｂ）に示すように、第３支持面２３ｃと、当該第３支持面２３ｃと対向する第１作動体３１の対向面３９ｂとは、互いに平行に配設されている。すなわち、第３支持面２３ｃと、これに対向する第１作動体３１の対向面３９ｂとの間の間隙Ｓ３は、その長手方向において均一な幅を有している。間隙Ｓ３は、前記間隙Ｓ１及びＳ２と同一の幅を有しており（Ｓ１＝Ｓ２＝Ｓ３）、これら間隙Ｓ１及びＳ２と連続している。
【００４８】
これにより、第１作動体３１において側板２３の内面に対向する対向面は、全面に亘って当該側板２３の内面と平行をなす平面とされている。よって、前記第１作動体３１は、側板２３の内面に沿って平行に延び、左右方向に突き出る凹凸形状のない平板状に形成されている。
【００４９】
上皿扉作動体６１の前端縁には、上下一対の上皿扉鉤６２が形成されている。上皿扉鉤６２の上側縁には、上側に開口（上方に向かって開口）する係合凹部６４が設けられている。この係合凹部６４に位置する上皿扉鉤６２の上側縁は、前記第２支持突部２５の上側縁と同一高さに配置されている。このため、第２支持突部２５は、上皿扉鉤６２を不正に回動させる行為の防止に役立っている。図８に示すように、上皿扉鉤６２の係合凹部６４が上皿扉１６の上皿扉係合金具Ｋ３にそれぞれ係合することにより、上皿扉１６が前枠１３に施錠されるようになっている。
【００５０】
さて、支持体２１に外枠鉤４１、ガラス扉鉤５１、第１作動体３１等の各種部材を組み付ける場合には、まず、外枠鉤４１を第１支持面２３ａ上に、ガラス扉鉤５１を第２支持面２３ｂ上に載せ、それぞれ位置合わせを行う。次いで、第１作動体３１の各スライド孔３１ａ〜３１ｄを通じて挿通されるリベットＲにより、外枠鉤４１及びガラス扉鉤５１の基端部をそれぞれ第１支持面２３ａ及び第２支持面２３ｂにカシメ着ける。その結果、側板２３の内面に外枠鉤４１、ガラス扉鉤５１、第１作動体３１等の各種部材が包括して組み付けられる。
【００５１】
このとき、側板２３の第１支持面２３ａ及び第２支持面２３ｂは連続する同一平面上に位置しているため、外枠鉤４１及びガラス扉鉤５１の位置合わせや組み付けが安定な状態で行われる。さらに、前記各種部材は、同一方向からの組み付けが可能となるため、支持体２１に対して容易且つスムーズに組み付けられる。加えて、前記各種部材は、安定した同一平面上に組み付けられるため、それぞれの部材が安定に支持され、その結果、部材間の動きの伝達がスムーズに行われるようになる。また、本実施形態では、上皿扉作動体６１も、安定な第３支持面２３ｃの裏面に組み付けられる。このため、当該上皿扉作動体６１の位置合わせや組み付けが安定な状態でスムーズに行われる。
【００５２】
また、本実施形態では、ラック３６の歯面３６ａが第１作動体３１の右側面から右方に膨出するように形成されているため、ラック３６の上下方向には空間が設けられる。そして、ピニオン２６の歯体の消耗や損傷等に応じて当該ピニオン２６を交換する場合には、ラック３６の正面方向のみならず上下方向からも、ラック３６に対するピニオン２６の歯体の離脱或いは噛合が可能となる。
【００５３】
次に、上記施錠装置２０の作用、特に外枠１２に対する前枠１３の施錠機構及び解錠機構について説明する。まず、外枠１２に対する前枠１３の施錠機構について説明する。施錠装置２０を備えた前枠１３を閉止方向へ回動させると、一対の外枠係合金具Ｋ１と各外枠鉤４１の先端部との当接により、外枠鉤４１の先端部がそれぞれ第１コイルばねＣ１の付勢力に抗して押し下げられ、各第１コイルばねＣ１が伸長される。そして、前記一対の外枠係合金具Ｋ１が各係合凹所４５の上側に位置すると、外枠係合金具Ｋ１による外枠鉤４１の先端部の押し下げが解除される。そして、伸長した第１コイルばねＣ１の原位置への復帰により、各外枠鉤４１の先端部が上方へ引っ張られる。すると、図５に実線で示すように、各外枠鉤４１の係合凹所４５が外枠係合金具Ｋ１に係合して前枠１３が外枠１２に施錠される。
【００５４】
このように前枠１３が外枠１２に施錠された状態では、以下のような不正行為が防止される。逆Ｊ字状に折り曲げられ、先端部にフックを有する針金（図示略）を用いて不正行為を行う場合、まず、針金のフックを係合凹所４５の第１内奥辺４６ａに引っ掛けて外枠鉤４１を直接的に操作して不正に傾動させようとする。このとき、針金のフックは前記第１内奥辺４６ａに加え、係合凹所４５の側方に位置する第３支持突部２８の第１支持辺２９ａにも引っ掛かる。
【００５５】
また、針金のフックを係合凹所４５の第２内奥辺４６ｂに引っ掛けて外枠鉤４１を直接的に操作して不正に傾動させようとする際には、針金のフックは前記第２内奥辺４６ｂに加えて第３支持突部２８の第２支持辺２８ａにも引っ掛かる。第３支持突部２８は支持体２１に一体で設けられているため、針金により何ら操作することができないようになっている。即ち、第３支持突部２８は針金の操作によって確実に動かないものとなっている。これらの結果、前記外枠鉤４１を不正行為によって傾動させて前枠１３を解錠する行為が防止される。
【００５６】
一方、不正行為によって第１作動体３１を直接的に操作して引き上げようとする場合には、ピニオン２６の歯とラック３６とが噛合しているため、第１作動体３１が直接的に引き上げられることはない。
【００５７】
次に、前枠１３が外枠１２に施錠されている状態から前枠１３を解錠するには、まずシリンダ錠Ｌに鍵２７を差し込み、その鍵２７を前枠１３の解錠方向に回動させる。すると、ピニオン２６が回動され、その回動がラック３６に速やかに伝達され、第１作動体３１が引き上げられる。その結果、図５に二点鎖線で示すように、各押圧段部３２により外枠鉤４１の第２掛止フック４２が上方へ押されて、各外枠鉤４１がそれぞれ第１コイルばねＣ１の付勢力に抗して回動し、各外枠鉤４１の先端部が下方へ移動する。その結果、各外枠鉤４１の係合凹所４５と外枠係合金具Ｋ１との間の係合が解除され、外枠１２から前枠１３が解錠される。
【００５８】
前記の実施形態によって発揮される効果について、以下に記載する。
・  本実施形態の施錠装置２０では、側板２３において同一平面上に位置する第１支持面２３ａ及び第２支持面２３ｂにそれぞれ外枠鉤４１及びガラス扉鉤５１が組み付けられる。すなわち、各種部材が安定な平面である側板２３の内面の所定箇所に組み付けられる。このため、本実施形態では、支持体２１が安定に支持された状態で各種部材を容易に組み付けることができる。また、支持体２１に対する各種部材の組み付け状態も安定するため、各部材間の動力の伝達がスムーズに行われるようになり、完成度の高い施錠装置２０を得ることができる。
【００５９】
・  上記施錠装置２０では、外枠鉤４１及びガラス扉鉤５１の組み付けに伴って第１作動体３１も側板２３の内面に組み付けられる。すなわち、各種部材は、それぞれ同じ組み付け方向から包括して組み付けられる。このため、外枠鉤４１と第１作動体３１とを別途異なる方向へ組み付ける作業を要する従来構成に比べて、本実施形態では、組み付け作業が二分化されることが抑制されて組み付け工程の低減が図られることから、支持体２１への各種部材の組み付けを容易且つ迅速に行うことができる。
【００６０】
・  側板２３は、左右方向に突き出る凹凸形状が極力存在しない平板状に形成されている。このため、本実施形態の支持体２１によれば、左右方向に突き出る凹凸形状を多数有する支持体に比べて、当該支持体２１の製造に使用されるプレス成形用の金型の構成を簡略化することができる。従って、支持体２１の構成の簡略化を図ることができるとともに、その製造コストの低減を図ることができる。
【００６１】
・  上記第１作動体３１は、左右方向に突き出る凹凸形状の存在しない平板状に形成されている。これは、側板２３を平板状に形成したことにより実現される。これにより、第１作動体３１の構成の簡略化を図ることができるとともに、その製造コストの低減を図ることができる。また、支持体２１への第１作動体３１の組み付けに際しても、当該組み付けの支障となり得る凹凸形状が存在しない第１作動体３１によれば、組み付け作業を容易に行うことができる。
【００６２】
・  上記外枠鉤４１の先端部は、段差部４３を介して側板２３（第１支持面２３ａ）の内面から離間して配置されている。これにより、通常の施錠装置と同様に、外枠１２に対する前枠１３の施錠及び前枠１３に対するガラス扉１５の施錠の両者が好適に行われるうえ、安定な平面である側板２３の内面（第１支持面２３ａ）への外枠鉤４１の組み付けを確保することができる。すなわち、上記施錠装置２０によれば、支持体２１への外枠鉤４１の組み付けの容易化を実現しつつ、汎用性を高めることができる。
【００６３】
・  ラック３６の歯面３６ａは、第１作動体３１の右側面から右方に膨出するように形成されており、ラック３６の上下方向には空間が設けられている。このため、ピニオン２６を交換する場合には、ラック３６の正面方向のみならず上下方向からも、当該ラック３６に対するピニオン２６の歯体の離脱或いは噛合が可能になる。すなわち、ラック３６に対するピニオン２６の歯体の離脱或いは噛合を、あらゆる方向から容易且つ迅速に行うことができる。
【００６４】
また、本実施形態では、ラック３６の歯面３６ａがピニオン２６に向けて膨出されているため、四角孔３５に対するピニオン２６の歯体の挿入が浅い状態でも両者の噛合が確保されやすくなる。このため、四角孔３５からピニオン２６の歯体を離脱する操作が容易となり、当該ピニオン２６の交換作業等を容易且つスムーズに行うことができる。
【００６５】
・  第３支持突部２８の支持辺２９ａ，２８ａは、外枠鉤４１の係合凹所４５の内奥辺４６ａ，４６ｂと同一高さに配置されている。このため、前記内奥辺４６ａ，４６ｂの上方から当該内奥辺４６ａ，４６ｂに向けて挿入された針金のフックは、内奥辺４６ａ，４６ｂに到達すると同時に第３支持突部２８の支持辺２９ａ，２８ａに引っ掛かる。従って、針金を使用した不正行為により外枠鉤４１を傾動させることができず、その結果、前枠１３の不正解錠を防ぐことができる。
【００６６】
また、外枠鉤４１の傾斜辺４５ｂも、鉛直方向から傾斜して形成されているため前記針金のフックが引っ掛かりにくい構成となっている。従って、当該傾斜辺４５ｂを介して、外枠鉤４１を不正に傾動する行為も防ぐことができる。
【００６７】
なお、本実施形態は、次のように変更して具体化することも可能である。
・  上記支持体２１の側板２３の内面は、少なくとも第１支持面２３ａ及び第２支持面２３ｂの両箇所が同一平面上に位置していればよく、これら以外の箇所は両支持面２３ａ，２３ｂと同一平面上に位置していなくてもよい。すなわち、両支持面２３ａ，２３ｂ以外の箇所には凹凸形状等が存在していてもよい。
【００６８】
・  上記第３支持突部２８の上側縁は、外枠係合金具Ｋ１に干渉しない範囲内であれば、前記施錠位置に配置される係合凹所４５の内奥辺よりも上方に配置されていてもよい。また、第３支持突部２８の上側縁は、解錠位置に配置される係合凹所４５の内奥辺と外枠係合金具Ｋ１との中間にあればよく、これを満たすのであれば、第３支持突部２８の上側縁を施錠位置に配置される係合凹所４５の内奥辺よりも下方に配置されていてもよい。
【００６９】
・  各鉤４１，５１の係合箇所は、パチンコ機の仕様によるものであり、その係合場所は任意となる。このため、外枠鉤４１の形状を、平板状を基本として、その基端部と先端部（係合凹所４５）とを段差部４３を介して略Ｚ字状に折り曲げることは自由裁量の範囲内である。すなわち、外枠１２に対する前枠１３の施錠及び前枠１３に対するガラス扉１５の施錠の両者を好適に行うことができるのであれば、外枠鉤４１の段差部４３を省略してもよい。この場合、外枠鉤４１は、基端部と先端部とが同一平面状に配置された平板状に形成される。なお、この場合、第３支持突部２８の段差部２９も同様に省略される。
【００７０】
・  第３支持突部２８を省略してもよい。
・  外枠係合金具Ｋ１の上方から外枠鉤４１の係合凹所４５が係合する構成を採用してもよい。即ち、上記施錠装置２０を上下逆にして前枠１３に組み付けた構成である。この場合、係合凹所４５及び係合凹部５４は、それぞれ外枠鉤４１及びガラス扉鉤５１の下側縁へ開口するように形成される。
【００７１】
・  本実施形態の施錠装置２０を用いて、パチスロ遊技機の本体（外枠）に上部前扉（前枠）及び下部前扉（前枠）を別途施錠する構成を採用してもよい。また、各実施形態の施錠装置２０をアレンジボール機等の他の遊技機に使用してもよい。
【００７２】
さらに、前記実施形態より把握できる技術的思想について以下に記載する。
・  遊技機における施錠装置において、前記外枠鉤は、その側部に開口する係合凹所が前記外枠の係合部の一端部に係合して前記前枠の開放が規制される施錠位置と、前記係合部と前記係合凹所との係合が解除されて前記前枠の開放が許容される解錠位置とに配置され、前記側板には前記外枠鉤を側方から支持する支持突部が設けられており、当該支持突部は、前記外枠鉤の先端に向けて延設されるとともに、その側部が前記施錠位置に配置される前記係合凹所の内奥辺の側方に位置するように構成されていることを特徴とする遊技機における施錠装置。この構成によれば、外枠鉤を不正行為によって傾動させて前枠を解錠する行為を防止することができる。
【００７３】
・  遊技機における施錠装置において、前記解錠位置に配置される係合凹所の内奥辺と前記係合部との中間には前記支持突部の側部が配置されていることを特徴とする遊技機における施錠装置。この構成によれば、外枠鉤を不正行為によって傾動させて前枠を解錠する行為を確実に防止することができる。
【００７４】
・  遊技機における施錠装置において、前記支持突部の側部は、前記施錠位置に配置される前記係合凹所の内奥辺に対して平行に配設されてなることを特徴とする遊技機における施錠装置。この構成によれば、外枠鉤を不正行為によって傾動させて前枠を解錠する行為をより一層効果的に防止することができる。
【図面の簡単な説明】
【００７５】
【図１】本実施形態の施錠装置を構成する部材を示す分解斜視図。
【図２】（ａ）及び（ｂ）は同施錠装置を示す側面図。
【図３】（ａ）は同施錠装置の上部を示す拡大側面図、（ｂ）は同施錠装置の下部を示す拡大側面図。
【図４】本実施形態の外枠鉤を示す拡大斜視図。
【図５】本実施形態のラックを示す拡大斜視図。
【図６】施錠位置及び解錠位置に配置された外枠鉤を示す拡大側面図。
【図７】本実施形態のパチンコ遊技機を示す斜視図。
【図８】本実施形態のパチンコ遊技機を示す斜視図。
【符号の説明】
【００７６】
１１…パチンコ遊技機、１２…外枠、１３…前枠、１５…ガラス扉、１６…上皿扉、２０…施錠装置、２１…支持体、２３ａ…第１支持面、２３ｂ…第２支持面、２３ｃ…第３支持面、２６…回動子としてのピニオン、３１…第１作動体、３６…噛合体としてのラック、３８…掛合部位、４１…外枠鉤、４３…段差部、５１…ガラス扉鉤、６１…第２作動体、６２…上皿扉鉤、Ｌ…錠部材としてのシリンダ錠、Ｓ１，Ｓ２…間隙。
【図１】
2006130070.tif 000003
【図２】
2006130070.tif 000004
【図３】
2006130070.tif 000005
【図４】
2006130070.tif 000006
【図５】
2006130070.tif 000007
【図６】
2006130070.tif 000008
【図７】
2006130070.tif 000009
【図８】
2006130070.tif 000010